(57)【要約】【課題】設置現場において盤幅を調整できるスイッチギヤを提供する。【解決手段】スイッチギヤ（１）は、筐体（２）と前扉（４）を備える。筐体（２）は、天板、底板、背板、左側板で構成される第１箱体（２）と、天板、底板、背板、右側板で構成される第２箱体（３）とを有し、第１箱体（２）と第２箱体（３）の一方を内箱、他方を外箱として、第１箱体（２）の天板、底板、背板と第２箱体（２）の天板、底板、背板とをスライド可能に重ね合わせて構成される。前扉（４）は、第１箱体（２）の前方を覆う第１扉板（５）と第２箱体（３）の前方を覆う第２扉板（６）とを有し、第１扉板（５）と第２扉板（６）とを扉幅方向へスライド可能に接続して構成される。【選択図】図１
2019080425.tif 000002
【特許請求の範囲】
【請求項１】
天板、底板、背板、左側板で構成される第１箱体と、天板、底板、背板、右側板で構成される第２箱体とを有し、前記第１箱体と前記第２箱体の一方を内箱、他方を外箱として、前記第１箱体の天板、底板、背板と前記第２箱体の天板、底板、背板とをスライド可能に重ね合わせた筐体と、
前記第１箱体の前方を覆う第１扉板と前記第２箱体の前方を覆う第２扉板とを有し、前記第１扉板と前記第２扉板とを扉幅方向へスライド可能に接続した前扉と、
を備えることを特徴とするスイッチギヤ。
【請求項２】
前記第１箱体と前記第２箱体との相対位置を固定する固定具を、さらに備えることを特徴とする請求項１記載のスイッチギヤ。
【発明の詳細な説明】
【技術分野】
【０００１】
この発明は、スイッチギヤに係り、特に、列盤の中間盤を更新するのに好適な盤幅調整型スイッチギヤに関する。
【背景技術】
【０００２】
従来、例えば特許文献１に開示されるように、真空スイッチを操作する操作器を収納する開閉器部を箱状にモジュール化して組込み可能に構成した真空絶縁スイッチギヤが知られている。このような構成によれば、モジュール化された開閉器部を引き出し、修理した開閉器部又は新品の開閉器部を挿入することで、開閉器部を更新することができる。
【先行技術文献】
【特許文献】
【０００３】
【特許文献１】特開２０１１−１２０３６４号公報
【発明の概要】
【発明が解決しようとする課題】
【０００４】
特許文献１のスイッチギヤによれば、スイッチギヤ内の一部の機器を更新することができる。ところで、スイッチギヤを筐体ごと更新する場合もある。従来、複数のスイッチギヤを連結して並べた列盤の中間盤を更新する場合、盤と盤の間に挿入できるように、新設盤の盤幅を既設盤よりも若干小さく設計する必要があった。そのため、構造設計時に都度詳細設計を加える必要があり設計に時間がかかっていた。このような都度の構造設計を不要とするために現地据付作業時に盤幅を調整できることが望ましい。
【０００５】
本発明は、上述のような課題を解決するためになされたもので、現地据付作業において盤幅を調整できるスイッチギヤを提供することを目的とする。
【課題を解決するための手段】
【０００６】
本発明は、上記の目的を達成するためのスイッチギヤであって、
天板、底板、背板、左側板で構成される第１箱体と、天板、底板、背板、右側板で構成される第２箱体とを有し、前記第１箱体と前記第２箱体の一方を内箱、他方を外箱として、前記第１箱体の天板、底板、背板と前記第２箱体の天板、底板、背板とをスライド可能に重ね合わせた筐体と、
前記第１箱体の前方を覆う第１扉板と前記第２箱体の前方を覆う第２扉板とを有し、前記第１扉板と前記第２扉板とを扉幅方向へスライド可能に接続した前扉と、を備えることを特徴とする。
【０００７】
好ましくは、前記第１箱体と前記第２箱体との相対位置を固定する固定具を、さらに備えることを特徴とする。
【発明の効果】
【０００８】
本発明によれば、列盤の中間盤を更新する際の都度の構造設計が不要になり、現地での盤幅の微調整が可能なため現地据付作業が容易となる。
【図面の簡単な説明】
【０００９】
【図１】本発明の実施の形態１に係るスイッチギヤの構成について説明するための斜視図である。
【図２】本発明の実施の形態１に係る前扉４の構成について説明するための正面図である。
【図３】本発明の実施の形態１に係る固定具７の一例を示す図である。
【図４】スイッチギヤを列盤の中間盤として配置した配置図である。
【図５】本発明の実施の形態１に係る固定具７の他の例を示す図である。
【発明を実施するための形態】
【００１０】
以下、図面を参照して本発明の実施の形態について詳細に説明する。尚、各図において共通する要素には、同一の符号を付して重複する説明を省略する。
【００１１】
実施の形態１．
（筐体）
図１は、スイッチギヤの構成について説明するための斜視図である。筐体１は、第１箱体２と第２箱体３を有する。第１箱体２は、天板２ａ、底板２ｂ、背板２ｃ、左側板２ｄで構成される。第２箱体３は、天板３ａ、底板３ｂ、背板３ｃ、右側板３ｄで構成される。
【００１２】
筐体１は、第１箱体２と第２箱体３の一方を内箱、他方を外箱として、第１箱体２の天板２ａ、底板２ｂ、背板２ｃと、第２箱体３の天板３ａ、底板３ｂ、背板３ｃとをスライド可能に重ね合わせて構成される。このような構成によれば、第１箱体２と第２箱体３を幅方向にスライドさせることで、筐体１の幅を変更できる。なお、図１では、第１箱体２を内箱、第２箱体３を外箱としている。
【００１３】
（前扉）
図２は、前扉４の構成について説明するための正面図である。筐体１の前方を開閉するための前扉４は、第１箱体２の前方を覆う第１扉板５と、第２箱体３の前方を覆う第２扉板６を有する。図２に示す例では、第１扉板５は、第１箱体２の内寸（天板２ａ、底板２ｂ、左側板２ｄによる内寸法）と略同じサイズであり、第１箱体の内側に配置されている。第２扉板６は、第２箱体３の外寸（天板３ａ、底板３ｂ、右側板３ｄによる外寸法）と略同じサイズであり、第２箱体３の外側に配置されている。第２扉板６には取手６ｂが取り付けられている。
【００１４】
前扉４は、第１扉板５と第２扉板６とを扉幅方向へスライド可能に接続して構成されている。一例として、第１扉板５と第２扉板６は、ガイドレール６ａで扉幅方向にスライド可能に接続されている。このような構成によれば、筐体１の幅の変更に併せて前扉４の扉幅を変更できる。
【００１５】
（固定具）
固定具７は、第１箱体２と第２箱体３との相対位置を固定する。図３は、固定具７の一例を示す図である。第１箱体２の底板２ｂの前部と後部にはそれぞれ幅方向に伸びた長穴８が設けられている。同様に、第２箱体３の底板３ｂの前部と後部にはそれぞれ幅方向に伸びた長穴９が設けられている。ボルト１１は、筐体１の土台１０に設けられた孔と長穴９と長穴８とに差し込まれ、その先端はナット１２で締め付けられる。図３において固定具７は、長穴８、長穴９、ボルト１１、ナット１２で構成される。このような構成によれば、第１箱体２と第２箱体３との相対位置を固定できる。
【００１６】
（幅の調整手順）
図４は、スイッチギヤを列盤の中間盤として配置した配置図である。列盤の中間盤を更新する現地据付作業では、まず左右の盤間隔よりも盤幅を狭くした状態でスイッチギヤを盤間に仮設置する。次に、筐体１の幅および前扉４の扉幅を広げて、両隣の盤との間隔を調整する。最後に、固定具７により第１箱体２、第２箱体３、土台１０を固定する。このような手順によれば、現地においてスイッチギヤの盤幅を、交換前のスイッチギヤと同じ幅に調整できる。
【００１７】
以上説明したように、本実施形態に係るスイッチギヤによれば、筐体１の幅および前扉４の扉幅を調整できる。そのため、列盤の中間盤を更新する際の都度の構造設計が不要になり、現地での盤幅の微調整が可能なため現地据付作業が容易となる。
【００１８】
（変形例）
ところで、上述した実施の形態１に係るスイッチギヤにおいては、第１箱体２を内箱、第２箱体３を外箱としているが、これに限定されるものではない。第１箱体２を外箱、第２箱体３を内箱としてもよい。
【００１９】
また、上述した実施の形態１に係るスイッチギヤにおいては、第１箱体２の底板２ｂと第２箱体３の底板３ｂに長穴８と長穴９を設けているが、これに限定されるものではない。図５は、固定具７の他の例を示す図である。図５の例では、長穴８に代えて第１箱体２の底板２ｂの前部と後部のそれぞれに、複数の孔１３が第１箱体２の幅方向に形成されている。また、長穴９に代えて第２箱体３の底板３ｂの前部と後部のそれぞれに、複数の孔１４が第２箱体３の幅方向に形成されている。ボルト１１は、筐体１の土台１０に設けられた孔と、複数の孔１３のいずれか１つと、複数の孔１４のいずれか１つとに差し込まれ、その先端はナット１２で締め付けられる。図５において固定具７は、複数の孔１３、複数の孔１４、ボルト１１、ナット１２で構成される。このような構成によっても、第１箱体２と第２箱体３との相対位置を固定できる。
【００２０】
また、固定具７として、動作方向を筐体１の幅を広げる方向に制限するラチェット機構を備えて、第１箱体２と第２箱体３の相対位置を固定してもよい。
【００２１】
以上、本発明の実施の形態について説明したが、本発明は、上記の実施の形態に限定されるものではなく、本発明の趣旨を逸脱しない範囲で種々変形して実施することができる。
【符号の説明】
【００２２】
１  筐体
２  第１箱体
２ａ  天板
２ｂ  底板
２ｃ  背板
２ｄ  左側板
３  第２箱体
３ａ  天板
３ｂ  底板
３ｃ  背板
３ｄ  右側板
４  前扉
５  第１扉板
６  第２扉板
６ａ  ガイドレール
６ｂ  取手
７  固定具
８  底板２ｂの長穴
９  底板３ｂの長穴
１０  土台
１１  ボルト
１２  ナット
１３  底板２ｂの複数の孔
１４  底板３ｂの複数の孔
【図１】
2019080425.tif 000003
【図２】
2019080425.tif 000004
【図３】
2019080425.tif 000005
【図４】
2019080425.tif 000006
【図５】
2019080425.tif 000007